(57)【特許請求の範囲】
【請求項１】
シャフトのグリップ取付側の端部に固定されるナット部材と、このナット部材に並設されるスペーサと、当該スペーサを前記シャフトのグリップ取付側及びナット部材と共に受容した状態で前記シャフト外周側を囲む有底のグリップ挿入筒と、このグリップ挿入筒の底面を貫通する状態で前記スペーサを貫通してナット部材に締結されるボルトと、前記グリップ挿入筒の外周に装着されるグリップとを備え、
前記グリップの内部に受容された前記スペーサを長さの異なるスペーサに交換することによって、前記グリップの取付位置を前記グリップ挿入筒と共に軸線方向に変化させてシャフト長さが可変に設けられていることを特徴とするゴルフクラブ用シャフトの長さ可変装置。
【請求項２】
前記スペーサは合成樹脂材料を素材とした成形品により構成されていることを特徴とする請求項１記載のゴルフクラブ用シャフトの長さ可変装置
【請求項３】
前記ボルトは複数であり、前記スペーサ毎に異なる長さを備えていることを特徴とする請求項１又は２記載のゴルフクラブ用シャフトの長さ可変装置
【発明の詳細な説明】
【技術分野】
【０００１】
本発明はゴルフクラブ用シャフトの長さ可変装置に係り、シャフトの長さを調整して利用することのできるゴルフクラブ用シャフトの可変装置に関する。
【背景技術】
【０００２】
ゴルフクラブ用シャフトは、メーカー毎に規格化された長さに設定されている。例えば、番手３番から９番のアイアンゴルフクラブ用のシャフトの場合、番手が小さくなるに従って０．５インチずつ長くなるように設定することが行われ、これにより、飛距離、コントロールの容易性等、番手毎の特性を良好に発揮できるように設計されている。
【０００３】
しかしながら、番手に応じて長さを一定に変化させたとしても、その利用者であるゴルファーの身長、或いは技量が様々であることから、番手ごとにシャフトの長さを変えてもすべてのゴルファーにとって使い勝手が良いものとは限らない。
【０００４】
例えば、背丈の高い人或いは飛距離を稼ぎたい人にとっては、市販されたシャフト長さよりも更に長いものを希望する場合があり、コントロールの容易性を追求する人にとっては、規格化された長さに対して相対的に短いシャフトを希望する場合もある。
【０００５】
特許文献１には、シャフトの長さを可変とするゴルフクラブが提案されている。このゴルフクラブは、シャフト端部に栓体を配置するとともに、外周にグリップが装着されるスライド筒をシャフトの端部に配置し、スライド筒の端面板を貫通する螺杆を栓体に対して進退させることでグリップをシャフトの軸線に沿って移動させ、これによってシャフトの長さを可変とすることができる構成となっている。
【先行技術文献】
【特許文献】
【０００６】
【特許文献１】特開平９−２０１４３５号公報
【発明の開示】
【発明が解決しようとする課題】
【０００７】
しかしながら、特許文献１記載のゴルフクラブシャフトは、螺杆がグリップの長さと同程度の長さを備えており、螺杆は強度的に金属製のものを用いる必要性があるから、螺杆自体の重さによってシャフト全体が相対的に重くなってしまうという不都合がある。しかも、重量増をもたらす部位がグリップ側に偏ってしまうので、シャフト全長における重量バランスも悪くなり、スイングのコントロールに悪影響を与える、という不都合もある。
【０００８】
また、一部の部品が故障した場合には全体を取り替える必要があり、メンテナンスコスト面においても不利益を伴う問題がある。
【０００９】
［発明の目的］
本発明の目的は、シャフト長さを可変とする構成としても重量増を軽減でき、シャフト全長におけるバランスに悪影響を与えることのないゴルフクラブ用シャフトの可変装置を提供することにある
また、本発明の他の目的は、一部の部品が故障しても該当部品のみの交換で修理することができる経済的に有利なゴルフクラブ用シャフトの可変装置を提供することにある。
【課題を解決するための手段】
【００１０】
前記目的を達成するため、本発明は、特許請求の範囲記載の構成を採用したものであり、具体的には、シャフトのグリップ取付側の端部に固定されるナット部材と、このナット部材に並設されるスペーサと、当該スペーサを前記シャフトのグリップ取付側及びナット部材と共に受容した状態で前記シャフト外周側を囲む有底のグリップ挿入筒と、このグリップ挿入筒の底面を貫通する状態で前記スペーサを貫通してナット部材に締結されるボルトと、前記グリップ挿入筒の外周に装着されるグリップとを備え、
前記グリップの内部に受容された前記スペーサを長さの異なるスペーサに交換することによって、前記グリップの取付位置を前記グリップ挿入筒と共に軸線方向に変化させてシャフト長さが可変に設けられる、という構成を採っている。
【００１１】
本発明において、前記スペーサは合成樹脂材料を素材とした成形品により構成することが好ましい。
【００１２】
また、前記ボルトは複数であり、前記スペーサ毎に異なる長さを備えている、という構成を採っている。
【発明の効果】
【００１３】
本発明によれば、ナット部材とグリップ挿入筒との間にスペーサを配置し、このスペーサの長さによってシャフト長さを可変としたから、スペーサに応じたボルトを用いれば足りるようになる。従って、従来タイプのボルトに比べて重量を抑制することができ、シャフト長さを可変としても、重量増といった不利益を回避することができる。このような重量増の回避は、シャフトのバランスも良好に保つことができ、スイングの容易性に影響を与えることもない。
また、スペーサを樹脂製とすることで重量増を効果的に回避することができる。更に、スペーサの割れ等の損傷が生じても、当該スペーサのみを交換すれば足り、メンテナンスコストの負担を少なくすることができる。
【図面の簡単な説明】
【００１４】
【図１】スペーサを介してグリップがゴルフクラブ用シャフトの端部に装着されている状態を示す要部断面図。
【図２】長さの異なるスペーサを用いてゴルフクラブ用シャフト長さを長く設定した状態を示す要部断面図。
【発明を実施するための形態】
【００１５】
以下、本発明の実施形態について、図面を参照しながら説明する。なお、図面は、内容を理解し易くするために、左右方向寸法（長さ）に対して上下方向寸法（厚み）を２倍に拡大して示したものである。
【００１６】
本実施形態におけるゴルフクラブ用シャフトの長さ可変装置は、図１に示されるように、シャフト１０のグリップ取付側に固定されるナット部材１１と、このナット部材１１に並設されるスペーサ１３と、当該スペーサ１３を受容した状態でシャフト１０の端部外周側に位置する有底のグリップ挿入筒１５と、このグリップ挿入筒１５の底面１６を貫通する状態でナット部材１１に締結されるボルト１８と、前記グリップ挿入筒１５の外周に装着されるグリップ１９とを備えて構成されている。
【００１７】
前記シャフト１０の端部は多角形状に形成されており、ナット部材１１は、それに対応した多角形状に設けられている。このナット部材１１の図１中右端側には突出部１１Ａが形成されており、当該突出部１１Ａは、スペーサ１３の左端側に形成された凹部１３Ａ内に位置するように設けられている。なお、ナット部材１１は、例えば、溶接等の手段によりシャフト１０に固定される。
【００１８】
前記スペーサ１３は、合成樹脂材料により一体成形された成形品である。このスペーサ１３は、中央部にボルト挿通路２１が形成された円筒体により構成され、図１中右端側中央部に凸部１３Ｂを備えた形状に設けられている。
【００１９】
前記グリップ挿入筒１５は、シャフト１０の端部及びスペーサ１３を受容する筒状部１７と、この筒状部１７の図１中右端側に位置する底面１６とからなり、当該底面１６の中心にボルト１８を挿入するための貫通孔２３が形成されている。このグリップ挿入筒１５は、シャフト１０の素材と同一のものが採用されており、本実施形態では、カーボンが用いられている。
【００２０】
前記グリップ１９は、ボルト１８のヘッド１８Ａを操作することのできる操作穴１９Ａを備えた形状に設けられている。
【００２１】
前記スペーサ１３は、図２に示されるように、長さが異なるものが複数種用意されるもので、このスペーサ１９の長さに応じたボルト１９を用いることで、シャフト１０に対するグリップ挿入筒１５の取付位置すなわち挿入深さが変化し、これにより、シャフト１０の全長を変えることができるようになっている。
【００２２】
従って、このような実施形態によれば、スペーサ１３を用いることにより、シャフト１０を長くした設定に変更することが可能となる。
また、スペーサ１３を含む状態で規格化された長さのゴルフクラブシャフトとして市場に流通させた場合には、そのスペーサよりも小さいスペーサに変更することにより、シャフトの長さを短く設定することも可能となる。
従って、ゴルファー毎にシャフト長さを変化させることで、ゴルフクラブを使い易く変更することが可能となる。この際、シャフトの重量は、さほど増加するものではなく、また、シャフトのバランスも極端に変化してしますような不都合は生じない。
【００２３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２４】
例えば、前記実施形態では、スペーサ１３が合成樹脂であるとしたが、それ自体の長さが短いものであれば、金属製とすることを妨げない。
また、ボルト１８は、長さの異なるスペーサ１３毎に変更する必要はなく、ナット部材１１への締結が可能な範囲内に収まるスペーサであれば共用して利用することができる。
【符号の説明】
【００２５】
１０…ゴルフクラブ用シャフト、１１…ナット部材、１３…スペーサ、１５…グリップ挿入筒、１６…底部、１８…ボルト、１９…グリップ
【図１】
0005817200.tif 000002
【図２】
0005817200.tif 000003